(57)【特許請求の範囲】
【請求項１】
建物の室内の床から鉛直上方に延びる奥壁に沿って床から立設されて形成される収納構造であって、
奥壁に沿って配置されるフレーム枠支持台と、
このフレーム枠支持台の上に固定され、二本の縦枠及びこの縦枠の水平方向を渡す二本の横枠によって四角枠状に形成されることにより縦枠及び横枠に囲まれた枠内に開口部を有する手前フレーム枠と、
その手前フレーム枠の上部と奥壁との間に略水平に位置して手前フレーム枠の左右の縦枠に固定される構造固定棚と、
その構造固定棚の上面に固定されて略垂直に立設する構造間仕切りと、
その構造間仕切りの奥壁側の端面と奥壁との間に位置して両者を固定し、手前フレーム枠に加わる荷重の一部を構造固定棚及び構造間仕切りを介して受ける受け材と、
前記手前フレーム枠に支持されて奥壁側に向かって延設された棚板と、
手前フレーム枠の開口部を開閉するように手前フレーム枠に支持されている扉とを備えたことを特徴とする収納構造。
【請求項２】
手前フレーム枠の上部と奥壁との間には、構造固定棚が下面を形成し、構造間仕切りが間仕切りを形成する箱状の構造キャビネットを備えたことを特徴とする請求項１記載の収納構造。
【発明の詳細な説明】
【０００１】
【産業上の利用分野】
この発明は収納構造、更に詳しくは、構成部品の数を減らすとともに、強度的に安定した収納構造に関するものである。
【０００２】
【従来の技術】
従来、収納構造としては、複数の大小の箱状のものを、建物の室内凹部の寸法により、組み合わせて取り付けるものが知られていた。
図３は、従来の収納構造を示す一例であって、玄関に形成された従来の収納構造の斜視図を示す。
【０００３】
従来の収納構造の概略を説明すると、両側壁１１１，１１２と奥壁１１３とを有する凹部１１０に、４個の箱状のキャビネット１２１，１２２，１２３，１２４を組み合わせて取り付けていた。
前記キャビネット１２１，１２２，１２３，１２４は、全体形状が箱状であって、前面が開放した本体部１４０と、この本体部１４０の内部を水平に仕切る複数の棚板１５０と、本体部１４０の開放前面を塞ぐとともに、開閉自在の二枚の扉１６０とを有していた。
【０００４】
なお、凹部１１０の側壁１１２と、キャビネット１２１，１２２，１２３，１２４との間に発生した間隙には、角状の木片からなる調整部材１３１，１３２を取り付けることにより、両者の寸法の誤差を調整していた。
【０００５】
【発明が解決しようとする課題】
しかし、上記した従来の収納構造では、それぞれが箱状のキャビネット１２１，１２２，１２３，１２４を組み合わせて形成しているため、部品点数が多く、軽量化が困難であるとともに、重量の大きなものを多数収納した場合に、縦方向の荷重が下部に集中してしまい、収納構造の下部の床面等に大きな負担が加わるという問題点があった。
【０００６】
そこで、請求項１記載の発明は、上記した従来の技術の有する問題点に鑑みてなされたものであり、その目的とするところは、部品点数を減らすことができ、軽量化することができるとともに、縦荷重を分散して強度的に安定した構造を有する収納構造を提供しようとするものである。
これに加え、請求項２記載の発明は、箱状の構造キャビネットを使用することにより、より安定した構造を有する収納構造を提供しようとするものである。
【０００７】
【課題を解決するための手段】
本発明は、上記した目的を達成するためのものであり、以下にその内容を図面に示した実施例を用いて説明する。
請求項１記載の発明は、建物の室内の床から鉛直上方に延びる奥壁(18)に沿って床から立設されて形成される収納構造(10)であって、奥壁(18)に沿って配置されるフレーム枠支持台(60)と、このフレーム枠支持台(60)の上に固定され、二本の縦枠(21)及びこの縦枠(21)の水平方向を渡す二本の横枠(22)によって四角枠状に形成されることにより縦枠(21)及び横枠(22)に囲まれた枠内に開口部(23)を有する手前フレーム枠(20)と、その手前フレーム枠(20)の上部と奥壁(18)との間に略水平に位置して手前フレーム枠(20)の左右の縦枠(21)に固定される構造固定棚(30)と、その構造固定棚(30)の上面に固定されて略垂直に立設する構造間仕切り(40)と、その構造間仕切り(40)の奥壁(18)側の端面と奥壁(18)との間に位置して両者を固定し、手前フレーム枠(20)に加わる荷重の一部を構造固定棚(30)及び構造間仕切り(40)を介して受ける受け材(50)と、前記手前フレーム枠(20)に支持されて奥壁(18)側に向かって延設された棚板(81)と、手前フレーム枠(20)の開口部(23)を開閉するように手前フレーム枠(20)に支持されている扉(70)とを備えたことを特徴とする。
【０００８】
請求項２記載の発明は、上記した請求項１記載の特徴点に加え、手前フレーム枠（２０）の上部と奥壁（１８）との間には、構造固定棚（３０）が下面を形成し、構造間仕切り（４０）が間仕切りを形成する箱状の構造キャビネット（９０）を備えたことを特徴とする。
【０００９】
【作用】
最初に、請求項１記載の発明に係る収納構造の作用について説明する。
手前フレーム枠(20)は、奥壁(18)に沿って配置されるフレーム枠支持台(60)の上に固定されるとともに、その上部は、構造固定棚(30)、構造間仕切り(40)及び受け材(50)を介して奥壁(18)に固定されている。このため、手前フレーム枠(20)に下方に向かって荷重が加わり、下方に向かって引っ張られると、手前フレーム枠(20)の上部に固定された構造固定棚(30)も下方に向かって引っ張られ、この構造固定棚(30)の上面に固定される構造間仕切り(40)も下方に向かって引っ張られる。そして、構造間仕切り(40)の奥壁側の端面は受け材(50)に固定されているため、受け材(50)は斜め下方に向かって引っ張られるが、受け材(50)は奥壁(18)に固定されており、この引張荷重は奥壁(18)により保持される。すなわち、手前フレーム枠(20)に下方に向かって加わる縦方向の荷重の一部は、構造固定棚(30)、構造間仕切り(40)及び受け材(50)を介して奥壁(18)により支持されることになる。
これにより、手前フレーム枠(20)の縦枠(21)に加わる縦方向の荷重が全て手前フレーム枠(20)の下部の狭い範囲に集中することなく、荷重を分散することができて、強度的により安定した収納構造を提供することができる。さらに、より重量の大きい重厚な扉(70)を使用することが可能となり、また、より重量の大きい物を棚板(81)に収納することが可能となる。
【００１０】
また、本収納構造は、縦荷重を分散することができるため、収納構造(10)に使用する扉(70)や棚板(81)等の部材を全て手前フレーム枠(20)で支持することができる。このため、箱状のものにする必要がなく、部品点数を減らすことができる。
また、工場においては、箱状でないため、工場出荷時にかさばらず、構造も簡単で重量も軽くすることができ、運搬に便利である。
【００１１】
次に、請求項２記載の発明に係る収納構造の作用について説明する。
手前フレーム枠（２０）の上部と奥壁（１８）との間には、構造固定棚（３０）及び構造間仕切り（４０）を構成の一部に有する構造キャビネットが形成されているため、請求項１記載の発明と同様にして、手前フレーム枠（２０）に加わる縦方向の荷重を構造固定棚（３０）、構造間仕切り（４０）及び受け材（５０）を介して奥壁（１８）に分散することができる。さらに、この構造キャビネット（９０）は、箱状に形成されているため、大きな剛性を有している。このため、手前フレーム枠（２０）の上部からより大きな荷重が加わっても、この構造キャビネット（９０）及び受け材（５０）を介して奥壁（１８）により支持することが可能となり、より重量の大きい物も収納することができる。
【００１２】
【実施例】
以下、本発明を実施例及び図面に基づいて、更に詳しく説明する。
図１は、本発明の第１の実施例を示すものであり、収納構造の外観斜視図を示すものである。
まず、本実施例の構成について説明する。
【００１３】
本実施例は、建物の室内の玄関床から鉛直上方に延びる奥壁１８に沿って床から立設されて形成される収納構造１０に関するものである。
本収納構造１０は、図１に示すように、玄関の土間の側方に位置する室内壁からなる凹状の凹部１５に形成されるものである。
前記凹部１５は、具体的には、図示しないが玄関ドアを有する玄関入口に隣接して向かって右側に形成された右側壁１７と、この右側壁１７から室内側に垂直に延設される奥壁１８と、この奥壁１８に隣接して形成されるとともに、前記右側壁１７に臨み向かって左側に位置する左側壁１６とから形成されている。
【００１４】
本収納構造１０は、前記凹部１５の右側壁１７及び左側壁１６の間に位置して、奥壁１８に沿って配置されるフレーム枠支持台６０と、このフレーム枠支持台６０の上に固定され、二本の縦枠２１及びこの縦枠２１の水平方向を渡す二本の横枠２２によって四角枠状に形成される手前フレーム枠２０とを備えている。この手前フレーム枠２０には、二本の横枠２２の略中央部を縦に結ぶ中縦枠２４が形成され、二本の縦枠２１、二本の横枠２２及び中縦枠２４に囲まれた部分により二つの開口部２３が形成されている。
【００１５】
前記手前フレーム枠２０の上部には、手前フレーム枠２０の上部と奥壁１８との間に略水平に位置して手前フレーム枠２０の左右の縦枠２１に固定される構造固定棚３０と、その構造固定棚３０の上面から略垂直に立設する構造間仕切り４０と、その構造間仕切り４０の奥壁１８側の端面と奥壁１８との間に位置して両者を固定し、手前フレーム枠２０に加わる荷重の一部を構造固定棚３０及び構造間仕切り４０を介して受ける受け材５０とが形成されている。また、手前フレーム枠２０と奥壁１８との間には、手前フレーム枠２０に支持されて奥壁１８側に向かって延設された棚板８１が形成されている。なお、棚板８１は、縦枠２１の奥壁１８側の端面に係止されて奥壁１８側に向かって延びる棚板支持部材８０によりその両端が支持されている。
【００１６】
また、手前フレーム枠２０の前面側には、手前フレーム枠２０の枠内の二つの開口部２３を塞ぐために手前フレーム枠２０の縦枠２１及び中縦枠２４に支持される開閉自在の二組の開き戸扉７０が形成されている。
次に、上記した実施例の作用及び効果について説明する。
棚板８１及び開き戸扉７０は手前フレーム枠２０の縦枠２１に固定されているため、それらの荷重は全て縦枠２１に加わってくる。一方、手前フレーム枠２０の上部は、構造固定棚３０、構造間仕切り４０及び受け材５０を介して奥壁１８に固定され、大きな剛性を有するように形成されている。このため、手前フレーム枠２０に棚板８１及び開き戸扉７０による下方への荷重が加わり、下方に向かって引っ張られると、手前フレーム枠２０の上部に固定された構造固定棚３０も下方に向かって引っ張られ、この構造固定棚３０の上面に固定される構造間仕切り４０も下方に向かって引っ張られる。そして、構造間仕切り４０の奥壁側の端面は受け材５０に固定されているため、受け材５０は斜め下方に向かって引っ張られるが、受け材５０は奥壁１８に固定されており、この引張荷重は奥壁１８により保持される。すなわち、手前フレーム枠２０に下方に向かって加わる縦方向の荷重の一部は、構造固定棚３０、構造間仕切り４０及び受け材５０を介して奥壁１８により支持されることになる。これにより、手前フレーム枠２０の縦枠２１に加わる縦方向の荷重が全て手前フレーム枠２０の縦枠２１の下部の狭い範囲に集中することなく、荷重を分散することができて、強度的により安定した収納構造を提供することができる。さらに、より重量の大きい重厚な開き戸扉７０を使用することが可能となり、また、より重量の大きい物を棚板８１に収納することが可能となる。
【００１７】
上述したように本収納構造１０は、縦荷重を分散することができるため、収納構造１０に使用する開き戸扉７０や棚板８１等の使用部材を全て手前フレーム枠２０の縦枠２１で支持することができる。このため、収納構造１０の形状を箱状のものにする必要がなく、部品点数を減らすことができる。
また、工場においては、収納構造１０の出荷時の形状が箱状でないため、工場出荷時にかさばらず、構造も簡単で重量も軽くすることができ、運搬に便利である。
【００１８】
次に、本発明の第２の実施例について説明する。
図２は、本発明の第２の実施例に係る収納構造の外観斜視図を示すものである。
第２の実施例は、手前フレーム枠２０の上部と奥壁１８との間に構造固定棚３０が下面を形成し、構造間仕切り４０が間仕切りを形成する箱状の構造キャビネット９０を備えている。さらに、手前フレーム枠２０の前面側に第１の実施例の開き戸扉７０の代わりに左右にスライド可能な引き戸扉７５を備えている。本実施例は第１の実施例と比較して、上記の点のみが異なるものでその他の構成は第１の実施例と略同様であって、同一の部材には同一の番号を付与して説明を省略する。
【００１９】
前記構造キャビネット９０は、手前側が開放する箱状であって、その内部は３枚の間仕切りにより４個に分割されている。そして、その３枚の間仕切りの中央のものが受け材５０に固定され、構造間仕切り４０を形成している。もちろん、構造間仕切り４０は、３枚の間仕切りのうち中央のものだけに限定する必要はなく、少なくとも１枚が受け材５０に固定されてあれば良い。
【００２０】
本実施例の作用及び効果について説明する。
手前フレーム枠２０の上部と奥壁１８との間には、構造固定棚３０及び構造間仕切り４０を構成の一部に有する構造キャビネット９０が形成されているため、第１の実施例と同様にして、手前フレーム枠２０に加わる縦方向の荷重を構造固定棚３０、構造間仕切り４０及び受け材５０を介して奥壁１８に分散することができる。さらに、この構造キャビネット９０は、箱状に形成されているため、大きな剛性を有している。このため、手前フレーム枠２０の上部からより大きな荷重が加わっても、この構造キャビネット９０及び受け材５０を介して奥壁１８により支持することが可能となり、第１の実施例よりも重量の大きい物の収納や、より重厚な引き戸扉７５や開き戸扉７０の使用が可能となる。また、引き戸扉７５を手前フレーム枠２０の上側の横枠２２に吊り下げるタイプのもので、引き戸扉７５の全ての重量が手前フレーム枠２０の上部に加わるような場合にも剛性が大きな構造キャビネット９０を介して荷重の一部が奥壁１８により支持されるため、強度的に安定した構造にすることができる。
【００２１】
なお、上述した第１及び第２の実施例において、構造固定棚３０は略水平に位置し、構造間仕切り４０は構造固定棚３０の上面に略垂直に立設しているが、これらの設置角度は特に水平や垂直に限定されるものではなく、奥壁１８と手前フレーム枠２０の上部との間を大きな剛性で固定することができるものであれば良い。例えば、構造固定棚３０及び構造間仕切り４０が任意の傾斜角度を有するものでも良い。さらに、構造固定棚３０や構造間仕切り４０の形状に限定されるものでもなく、例えば水平断面形状がコ字形のユニット状のものを手前フレーム枠２０の上部と奥壁１８との間に形成しても良い。
【００２２】
また、上述した第１，２の実施例において、手前フレーム枠２０の開口部２３を塞ぐ扉は、第１の実施例において開き戸扉７０、第２の実施例において引き戸扉７５を使用したが、扉の種類はこれらに限定されるものではなく、例えば扉の途中において外側に向かって縦方向に折り曲がる折れ戸扉を使用することもできる。
【００２３】
【発明の効果】
本発明は、以上のように構成されているので、以下に記載されるような効果を奏する。
請求項１記載の発明によれば、部品点数を減らすことができ、軽量化することができるとともに、縦荷重を分散して安定した構造を有する収納構造を提供することができる。
【００２４】
請求項２記載の発明によれば、箱状の構造キャビネットを使用することにより、より安定した構造を有する収納構造を提供することができる。
【図面の簡単な説明】
【図１】本発明の第１の実施例に係る収納構造を示す外観斜視図である。
【図２】本発明の第２の実施例に係る収納構造を示す外観斜視図である。
【図３】従来の収納構造を示す組立斜視図である。
【符号の説明】
１０  収納構造                          １５  凹部
１６  左側壁                            １７  右側壁
１８  奥壁                              ２０  手前フレーム枠
２１  縦枠                              ２２  横枠
２３  開口部                            ２４  中縦枠
３０    構造固定棚                        ４０    構造間仕切り
５０    受け材                            ６０    フレーム枠支持台
７０    開き戸扉                          ７５  引き戸扉
８０  棚板支持部材                      ８１  棚板
９０  構造キャビネット
１１０  凹部                              １１１  側壁
１１２  側壁                                １１３  奥壁
１２１，１２２，１２３，１２４  キャビネット              １３１，１３２  調整部材
１４０  本体部                                                  １５０  棚板
１６０  扉
【図１】
0003619572.tif 000002
【図２】
0003619572.tif 000003
【図３】
0003619572.tif 000004